(57)【要約】【課題】組み立てが容易であり、蝶番体の破損を防止できる構造の包装用箱の提供。【解決手段】上部に開口部を有する身箱２と、当該身箱２の前記開口部を閉塞する蓋体３と、前記身箱２と前記蓋体３の一部を連結する蝶番体４と、を備える包装用箱であって、前記蝶番体４は、前記身箱２及び前記蓋体３に対して移動可能に連結される。さらに、前記身箱２、及び／又は、前記蓋体３の内壁に前記蝶番体４を係止する係止手段により連結される。【選択図】図１５
0003171823.tif 000002
【実用新案登録請求の範囲】
【請求項１】
上部に開口部を有する身箱と、
当該身箱の前記開口部を閉塞する蓋体と、
前記身箱と前記蓋体の一部を連結する蝶番体と、を備える包装用箱であって、
前記蝶番体は、前記身箱及び前記蓋体に対して移動可能に連結されることを特徴とする包装用箱。
【請求項２】
前記身箱及び／又は前記蓋体の内壁に前記蝶番体を係止する係止手段により連結されることを特徴とする請求項１に記載の包装用箱。
【請求項３】
前記係止手段は、
前記蝶番体の一部が突出した係合片と、
前記身箱の内壁及び／又は蓋体の内壁に形成された係合孔と、を備え、
前記係合片が前記係合孔に係合した状態で、前記係合孔は前記係合片の移動を許容する大きさであることを特徴とする請求項２に記載の包装用箱。
【請求項４】
前記身箱の内壁に接する中枠体を備えることを特徴とする請求項２又は請求項３に記載の包装用箱。
【請求項５】
前記身箱は、底板と当該底板に起立する複数の身箱側壁を備え、
前記蓋体は、天板と当該天板に起立する複数の蓋体側壁を備え、
前記係合孔は、隣接する前記身箱側壁の境界周辺、及び／又は隣接する前記蓋体側壁の境界周辺、に形成されることを特徴とする請求項３又は請求項４に記載の包装用箱。
【請求項６】
前記係合孔は、前記天板と前記蓋体側壁の境界周辺に形成されることを特徴とする請求項３から請求項５のいずれか一項に記載の包装用箱。
【考案の詳細な説明】
【技術分野】
【０００１】
本考案は、包装用箱の技術、特に、別体で構成された箱を連結して開閉可能とする構造の包装用箱の技術に関するものである。
【背景技術】
【０００２】
従来、身と蓋で収容空間を形成し、さらに身と蓋の一部を連結し、蓋を開くと、身と蓋が繋がった状態で開放される包装用箱が開示されている。
【０００３】
特許文献１に示す包装用箱は、両面接着シートを有した蝶番によって身と蓋とを連結するものである。
特許文献２に示す包装用箱は、蓋に蝶番紙の一端を固定し、蝶番紙の他端を開放端として、身の側壁と内紙の間に挿入したものである。
【０００４】
しかしながら、特許文献１に示す包装用箱は、蝶番を身と蓋の適切な位置に貼り付ける作業に、技術を要するものであり、煩雑でもある。また、蓋を開けた際に、蝶番の両端部が固定されているため、蝶番に負荷がかかり、蓋の開閉操作をおこなうと破損しやすいものであった。
また、特許文献２に示す包装用箱は、蝶番部の他端が開放端とされているため、蝶番体が身の側壁と内箱との間から脱落するおそれがあった。
【先行技術文献】
【特許文献】
【０００５】
【特許文献１】実公昭５６−１５１４４号公報
【特許文献２】特開２００８−５６３３３号公報
【考案の概要】
【考案が解決しようとする課題】
【０００６】
解決しようとする課題は、組み立てが容易であり、蝶番体の破損を防止できる構造の包装用箱の提供。
【課題を解決するための手段】
【０００７】
本考案の解決しようとする課題は以上の如くであり、次にこの課題を解決するための手段を説明する。
【０００８】
即ち、請求項１においては、上部に開口部を有する身箱と、当該身箱の前記開口部を閉塞する蓋体と、前記身箱と前記蓋体の一部を連結する蝶番体と、を備える包装用箱であって、前記蝶番体は、前記身箱及び前記蓋体に対して移動可能に連結されるものである。
【０００９】
即ち、請求項２においては、前記身箱及び／又は前記蓋体の内壁に前記蝶番体を係止する係止手段により連結されるものである。
【００１０】
即ち、請求項３においては、前記係止手段は、前記蝶番体の一部が突出した係合片と、前記身箱の内壁及び／又は蓋体の内壁に形成された係合孔と、を備え、前記係合片が前記係合孔に係合した状態で、前記係合孔は前記係合片の移動を許容する大きさである。
【００１１】
即ち、請求項４においては、包装用箱は、前記身箱の内壁に接する中枠体を備えるものである。
【００１２】
即ち、請求項５においては、前記身箱は、底板と当該底板に起立する複数の身箱側壁を備え、前記蓋体は、天板と当該天板に起立する複数の蓋体側壁を備え、前記係合孔は、隣接する前記身箱側壁の境界周辺、及び／又は隣接する前記蓋体側壁の境界周辺、に形成されるものである。
【００１３】
即ち、請求項６においては、前記係合孔は、前記天板と前記蓋体側壁の境界周辺に形成されるものである。
【考案の効果】
【００１４】
本考案の効果として、以下に示すような効果を奏する。
【００１５】
請求項１においては、蓋体を身箱の開口部を閉塞した状態から、蓋体を開いた状態とした際、蝶番体が身箱及び蓋体に対して移動可能に連結しているので、蝶番体に過度の負荷がかかる状態であっても負荷をうまく逃がすことができるため、蝶番体の破損を防止することができる。また、蝶番体が身箱及び蓋体に固着されていないため、組み立てが容易におこなうことができる。
【００１６】
請求項２においては、請求項１の効果に加え、身箱及び／又は蓋体の内壁に蝶番体を係止する係止手段を有することから、外観の体裁がよく、蝶番体がその係止されている側から外れにくくなる。
【００１７】
請求項３においては、請求項２の効果に加え、係合孔は、係合片の移動を許容する大きさであるため、予定された蝶番体の移動可能な範囲以上の移動を防止することができる。したがって、蓋体を身箱の開口部を閉塞した状態から身箱の開口部を開放した状態とした際に、身箱に対する蓋体の位置を設定することが容易となり、包装用箱の蓋体を開いた際の体裁がよくなる。
【００１８】
請求項４においては、請求項２及び請求項３の効果に加え、身箱の内壁に接する中枠体を備えることで、身箱の開口部を開放した状態へと蓋体を移動させた際の包装用箱の内部の体裁がよくなる。さらに、蝶番体を身箱と中枠体とで挟持することとなり、蝶番体の移動を無理なく制限することができる。
【００１９】
請求項５においては、請求項３及び請求項４の効果に加え、係合孔が、隣接する身箱側壁の境界周辺、及び／又は、隣接する蓋体側壁の境界周辺、に形成されるので、蓋体を開いた際に、係合孔、及び係合孔に挿入される係合片が目立たない位置となり包装用箱の体裁がよい。
【００２０】
請求項６においては、請求項３から請求項５の効果に加え、係合孔は、天板と蓋体側壁の境界周辺に形成されるため、蓋体を開いた際に、係合孔と係合孔に挿入される係合片が目立たない位置となり、包装用箱の体裁がよい。
【図面の簡単な説明】
【００２１】
【図１】展開形成体の身箱を示す平面図。
【図２】展開形成体の蓋体を示す平面図。
【図３】展開形成体の蝶番体を示す平面図。
【図４】展開形成体の中枠体を示す平面図。
【図５】組み立て途中の身箱を示す斜視簡略図。
【図６】組み立て途中の身箱を示す斜視簡略図。
【図７】組み立てられた身箱を示す斜視簡略図。
【図８】組み立て途中の蓋体を示す斜視簡略図。
【図９】組み立て途中の蓋体を示す斜視簡略図。
【図１０】組み立てられた蓋体及び折り曲げられた蝶番体を示す斜視簡略図。
【図１１】組み立て途中の中枠体を示す斜視簡略図。
【図１２】組み立てられた中枠体を示す斜視簡略図。
【図１３】蝶番体が蓋体に連結された状態を示す斜視簡略図。
【図１４】蝶番体が身箱及び蓋体に連結された状態を示す斜視簡略図。
【図１５】蓋体を開いた状態の包装用箱を示す斜視簡略図。
【図１６】蓋体を閉じた状態の包装用箱を示す斜視簡略図。
【図１７】係合片及び係合孔の周辺を示す斜視簡略図。
【考案を実施するための形態】
【００２２】
まず、図１から図４を用いて、本考案の一実施形態に係る包装用箱１の構成について説明する。
【００２３】
本実施形態の包装用箱１は、一枚のブランクからなる身箱２、蓋体３、蝶番体４、及び中枠体５によって構成される。このブランクの身箱２、蓋体３、蝶番体４、及び中枠体５を所定の位置で連結して組み立てることで、図１６に示す完成した包装用箱１となる。本実施形態の包装用箱１は、蓋体３を開くと、身箱２の設置面や身箱２の側壁に蓋体３が接触せずに中途の位置に保持することができる「中開き」と称される開き方を可能とするものである（図１５参照）。
【００２４】
包装用箱１は、図１から図４に示す身箱２、蓋体３、蝶番体４、及び中枠体５の箱展開形成体を組み立てて所定の箇所で連結することで形成される（図１６参照）。包装用箱１は、板紙、段ボールなどの厚紙で形成されて、菓子等の物品を収納する。包装用箱１は、厚紙の他、樹脂素材を用いた板状部材等で形成されてもよい。本考案の一実施形態に係る包装用箱１は、身箱２に蓋体３が蝶番体４を介して開閉自在に連結され、身箱２に中枠体５が挿入され蓋体３と身箱２の密閉性をよくした蝶番式の印籠箱とされる。
【００２５】
以下では、説明を容易とするため、図中に示す方向を基に説明を行うこととする。
尚、本実施形態の包装用箱１の平面形状は正方形であるが、長方形や六角形等の他の形状に変更してもよい。
【００２６】
図１に示す展開形成体に従って、身箱２を構成する部分を説明する。図１は、包装用箱１の内側となる面を紙面の手前側として示している。
【００２７】
身箱２は、底板２１と、底板２１に対して起立する四つの身箱側壁とからなり、上部が開放されたパーツである（図７参照）。
【００２８】
底板２１は、包装用箱１の底となる部分である。底板２１には、折目線を介して、前辺に前側板２２、後辺に後側板２３が連設される。前側板２２と後側板２３の高さ方向（図１における前後方向）の長さは、前側板２２よりも後側板２３の方が長くなるように形成されている。さらに、底板２１には、折目線を介して左右辺に左右側板２４・２４が連設されている。左右側板２４の前辺の長さは、前側板２２の高さ方向（図１において前後方向）の長さと略同じとなるように形成され、左右側板２４の後辺の長さは、後側板２３の高さ方向（図１において前後方向）の長さと略同じとなるように形成される。そして、左右側板２４の高さ方向（図１において左右方向）の長さは、後方へと向かうにつれて高くなるように形成される。前側板２２及び後側板２３には、底板２１と対向する辺にそれぞれ折目線を介して、縁板２５・２５が連設される。前側板２２に連設される縁板２５には、前側板２２と対向する辺に折目線を介して前内側板２７が連設される。後側板２３に連設される縁板２５には、後側板２３と対向する辺に折目線を介して後内側板２８が連設される。縁板２６・２６には、折目線を介して左右側板２４・２４と対向する辺に左右内側板２９・２９が連設される。左右内側板２９は、左右側板２４よりも若干小さな形状であって、左右側板２４と縁板２６を介して左右対称となるように形成される。
【００２９】
前側板２２の左右辺と左右側板２４・２４の前辺との間には、折目線を介して前折込板６１・６１が連設される。前折込板６１には、前折込板６１を略二等分する前折畳線６１ａが底板２１の前側の角から前折込板６１の開放端にかけて形成される。後側板２３の左右辺と左右側板２４・２４の後辺の間には、折目線を介して後折込板６２・６２が連設される。後折込板６２には、後折込板６２を略二等分する後折畳線６２ａが底板２１の後側の角から後折込板６２の開放端にかけて形成される。
【００３０】
前内側板２７には、縁板２５と対向する辺に折目線を介して前係止板６３が連設される。後内側板２８には、縁板２５と対向する辺に折目線を介して後係止板６４が連設される。左右内側板２９・２９には、縁板２６・２６と対向する辺に折目線６５・６５を介して、左右係止板６６・６６が連設される。
【００３１】
また、折目線６５は途中で二箇所分断されており、分断された箇所には、係止切込部６５ａ・６５ａが左右内側板２９・２９側に突出する切り目によって形成される。
【００３２】
さらに、左右内側板２９の前辺には、折目線を介して、前袖フラップ６７・６７が連設される。前袖フラップ６７・６７の開放端部には、前係止切込６７ａ・６７ｂが形成される。
【００３３】
左右内側板２９の後辺には、折目線６８を介して、後袖フラップ６９・６９が連設されている。後袖フラップ６９・６９の開放端部には、後係止切込６９ａ・６９ｂが形成される。また、折目線６８は、途中で分断されており、分断された箇所には、係止切込部６８ａ・６８ａが左右内側板２９・２９側に突出する切り目によって形成される。
【００３４】
次に、図２に示す展開形成体に従って、蓋体３を構成する部分を説明する。図２は、包装用箱１の外側となる面を紙面の手前側として示している。
【００３５】
蓋体３は、天板３１と、天板３１に対して起立する四つの蓋体側壁とからなり、下部が開放されたパーツである。
【００３６】
天板３１は、包装用箱１の上部となる部分である。天板３１には、折目線を介して、前辺に前側板３２、後辺に後側板３３が連設される。前側板３２と後側板３３の高さ方向（図２における前後方向）の長さは、前側板３２よりも後側板３３の方が短くなるように形成されている。さらに天板３１には、折目線を介して左右辺に左右側板３４・３４が連設されている。左右側板３４の前辺の長さは、前側板３２の高さ方向（図２において前後方向）の長さと略同じとなるように形成され、左右側板３４の後辺の長さは、後側板３３の高さ方向（図２において前後方向）の長さと略同じとなるように形成される。そして、左右側板３４の高さ方向（図２において左右方向）の長さは、後方へと向かうにつれて低くなるように形成される。前側板３２及び後側板３３には、天板３１と対向する辺にそれぞれに折目線を介して、縁板３５・３５が連設される。前側板３２に連設される縁板３５には、前側板３２と対向する辺に折目線を介して前内側板３７が連設される。後側板３３に連設される縁板３５には、後側板３３と対向する辺に折目線を介して後内側板３８が連設される。縁板３６・３６には、左右側板３４・３４と対向する辺に折目線を介して左右内側板３９・３９が連設される。左右内側板３９は、左右側板３４よりも若干小さな形状であって、縁板３６を挟んで略左右対称となるように形成される。
【００３７】
前側板３２の左右辺と左右側板３４・３４の前辺との間には、折目線を介して前折込板７１・７１が連設される。前折込板７１には、前折込板７１を略二等分する前折畳線７１ａが天板３１の前側の角から前折込板７１の開放端にかけて形成される。後側板３３の左右辺と左右側板３４・３４の後辺との間には、折目線を介して後折込板７２・７２が連設される。後折込板７２には、後折込板７２を略二等分する後折畳線７２ａが天板３１の後側の角から後折込板７２の開放端にかけて形成される。
【００３８】
前内側板３７には、縁板３５と対向する辺に折目線８１を介して前係止板７３が連設される。折目線８１は、左右中途部で分断されており、分断された箇所には、前内側板３７側に突出した切れ目によって係止切込部８１ａが形成される。後内側板３８には、縁板３５に対向する辺に折目線８２を介して後係止板７４が連設される。折目線８２は、左右中途部で分断されており、分断された箇所には、後内側板３８側に突出した切れ目によって係止切込部８２ａが形成される。係止切込部８２ａは、係止切込部８１ａよりも上下方向（図２における前後方向）の突出長さが若干長くなるように形成される。
【００３９】
左右内側板３９・３９には、縁板３６・３６と対向する辺に折目線７５・７５を介して、左右係止板７６・７６が連設される。
【００４０】
また、折目線７５は途中で三箇所分断されている。折目線７５の分断された箇所のうち前後中央部には、係止切込部７５ｂが左右内側板３９側に突出する切り目によって形成される。折目線７５の分断された箇所のうち係止切込部７５ｂを挟んで前後には、係止切込部７５ａ・７５ａが左右内側板３９側に突出する切り目によって形成される。
【００４１】
さらに、左右内側板３９・３９の前辺には、折目線を介して、前袖フラップ７７・７７が連設される。前袖フラップ７７・７７の開放端部には、前係止切込７７ａ・７７ｂがそれぞれ形成される。
【００４２】
左右内側板３９・３９の後辺には、折目線７８・７８を介して、後袖フラップ７９・７９が連設されている。後袖フラップ７９・７９の開放端部には、後係止切込７９ａ・７９ｂがそれぞれ形成される。また、左右内側板３９の後辺と後袖フラップ７９の前辺は、外側が連設されずに分断されており、分断された箇所には、係合孔７８ａが形成される。
【００４３】
次に、図３に示す展開形成体に従って、蝶番体４を構成する部分を説明する。
【００４４】
蝶番体４は、身箱２と蓋体３とを連結するパーツである。蝶番体４は、主として第一板４１、第二板４２、第三板４３によって構成される。蝶番体４は、長方形のパーツであって、その長方形の辺の一部から突出して複数の係合片が形成される。蝶番体４は、第一板４１、第二板４２、及び係合片で構成されていればよく、第三板４３が設けられていなくてもよい。
【００４５】
第一板４１は、身箱２の後側の内壁である後内側板２８に接触する部分である。第一板４１は、後内側板２８と略同じ左右方向の幅を有し、上下方向の高さが後内側板２８よりも若干短くなるように形成される。第一板４１の上辺となる辺（図３における後側の辺）には、折目線を介して第二板４２が連設される。第二板４２は、蓋体３の後側の内壁である後内側板３８に接触する部分であり、左右方向の幅及び上下方向となる高さを後内側板３８と略同じとなるように形成される。第二板４２の上辺となる辺（図３において後辺）には、折目線４６を介して、第三板４３が連設される。第三板４３は、天板３１（厳密には、前係止板７３、後係止板７４及び左右係止板７６）に接触する部分であり、天板３１よりも若干小さく形成される。
【００４６】
第一板４１の左右側辺には、身箱２の係止切込部６８ａに対応する位置に左右一対の第一係合片４４・４４が形成される。第一係合片４４は、係止切込部６８ａの上下高さよりも若干短くなるように形成される。第二板４２には、左右一対の第二係合片４５・４５が形成される。第二係合片４５・４５は折目線４６の近傍に形成される。
【００４７】
折目線４６は、左右中央部で分断されており、分断された箇所には、係合片４６ａが第二板４２へと突出する切れ目によって形成される。第三板４３には、左右辺の前後中央部から外側へ突出する第三係合片４７・４７が形成される。さらに、第三板４３には、前辺となる辺（図３において後辺）から外側へと突出する第四係合片４８が形成される。
【００４８】
次に、図４に示す展開形成体に従って、中枠体５を構成する部分を説明する。尚、図４は、包装用箱１の内側となる面を紙面の手前側として示している。
【００４９】
中枠体５は、底板５１と、底板５１に対して起立する四つの側壁とからなる上部が開放されたパーツであり、身箱２の内側に挿入され、包装用箱１の密閉性を向上させるとともに、蝶番体４の動きを一定の方向に規制する役割を果たす。
【００５０】
底板５１は、包装用箱１の内側の底となる部分である。底板５１の前辺には、折目線を介して前内側板５２が連設され、底板５１の後辺には、折目線を介して後内側板５３が連設される。前内側板５２の上下方向（図４における前後方向）となる長さは、身箱２の前側板２２よりも長く、後内側板５３の上下方向の長さは、身箱２の後側板２３よりも長く形成される。さらに、底板５１の左右には、折目線９１・９１を介して、左右内側板５４・５４が連設される。また、左右内側板５４・５４も、身箱２の左右内側板２９の高さよりも高く、左右内側板５４の高さ方向（図４における左右方向）の長さが、後へと向かうにつれて高くなるように形成される。
【００５１】
折目線９１は途中で二箇所分断されており、分断された箇所には、係止切込部９１ａ・９１ａが左右内側板５４側に突出する切り目によって形成される。
【００５２】
前内側板５２には、底板５１と対向する辺に折目線を介して前外側板５５が連設される。後内側板５３には、底板５１と対向する辺に折目線を介して後外側板５６が連設される。左右内側板５４・５４には、底板５１と対向する辺に折目線を介して左右外側板５７・５７が連設される。左右外側板５７は、左右内側板５４と略左右対称に形成される。
【００５３】
左右外側板５７・５７の前辺となる辺には、折目線を介して、前袖フラップ５８・５８が連設される。左右外側板５７・５７の後辺となる辺には、折目線を介して、後袖フラップ５９・５９が連設されている。
【００５４】
以下に、展開形成体の身箱２、蓋体３、蝶番体４、及び中枠体５から包装用箱１を組み立てる工程を説明する。
【００５５】
先ず、図１、及び図５から図７に従って、身箱２を組み立てる工程について説明する。
【００５６】
身箱２は、図１に示す展開形成体の状態から、図５に示すように、折目線を谷折りすることで、四つの側壁の一部を構成する前側板２２と、後側板２３と、左右側板２４・２４が底板２１に対して立設される。このとき、前折込板６１・６１は、前折畳線６１ａ・６１ａで二つ折りにされながら、折目線を谷折りすることで、前側板２２の内側に折畳まれる。また、後折込板６２・６２も、後折畳線６２ａ・６２ａで二つ折りにされながら、折目線を谷折りすることで、後側板２３の内側に折畳まれる。
【００５７】
次に、左右側板２４・２４から延設された同一平面上の縁板２６・２６が、折目線を谷折りすることで、左右側板２４に対して略直角に内側へと折り曲げられる。そして、左右内側板２９・２９は、左右側板２４・２４の内側となるように、底板２１に折り立てられる。そのとき、折目線６５を山折りすることで、左右係止板６６・６６は左右内側板２９に対して略直角に折り曲げられるとともに、底板２１に面で接触するように配置される。但し、係止切込部６５ａは、折目線６５を分断するように左右係止板６６から延設されているため、左右内側板２９には、係合孔６５ｂ（図６参照）が形成されとともに、係止切込部６５ａは、左右係止板６６から延設された同一平面上に位置する。
【００５８】
さらに、左右内側板２９の前の折目線を山折りすることで、前袖フラップ６７・６７は、左右内側板２９に対して略直角に内側へと折り曲げられる。そして、左右の前袖フラップ６７・６７は、それぞれの自由端部に形成された前係止切込６７ａ・６７ｂを互いに差し込むことで連結される。また、左右内側板２９の後の折目線６８を山折りすることで、後袖フラップ６９は、左右内側板２９に対して略直角に内側へと折り曲げられる。そして、左右の後袖フラップ６９・６９は、それぞれの自由端部に形成された後係止切込６９ａ・６９ｂを互いに差し込むことで連結される。
【００５９】
ここで、折目線６８を折り曲げることで、係止切込部６８ａは、折目線６８を分断するように後袖フラップ６９から延設されているため、左右内側板２９には、係合孔６８ｂが形成されとともに、係止切込部６８ａ（図６参照）は、後袖フラップ６９から延設された同一平面上に位置する。
【００６０】
図６に示す状態から図７に示すように、前側板２２から延設された同一平面上の縁板２５が、折目線を谷折りすることで、前側板２２に対して略直角に内側へと折り曲げられる。そのとき、縁板２５の左右両端部は、縁板２６・２６の前端部の上面に重ね合わされる。そして、前内側板２７は、前側板２２の内側となるように、底板２１に折り立てられる。そのとき、折目線を山折りすることで、前係止板６３は前内側板２７に対して略直角に折り曲げられるとともに、底板２１の上面に重ね合わされる。さらに、前係止板６３の左右両端部に、左右係止板６６・６６の前端部が上方より重ね合わせられることで、前側の側壁全体が安定したかたちで底板２１に対して起立することができる。
【００６１】
他方、後側板２３から延設された同一平面上の縁板２５が、折目線を谷折りすることで、後側板２３に対して略直角に内側へと折り曲げられる。そのとき、縁板２５の左右両端部は、縁板２６・２６の後端部の上面に重ね合わされる。そして、後内側板２８は、後側板２３の内側となるように、底板２１に折り立てられる。そのとき、折目線を山折りすることで、後係止板６４は後内側板２８に対して略直角に折り曲げられるとともに、底板２１の上面に重ね合わされる。さらに、後係止板６４の左右両端部に、左右係止板６６・６６の後端部が上方より重ね合わせられることで、後側の側面全体が安定したかたちで底板２１に対して起立することができる。
【００６２】
このような工程を経て、身箱２は、組み立てられる。
【００６３】
次に、図２、及び図８から図１０に従って、蓋体３を組み立てる工程について説明する。
【００６４】
蓋体３は、図２に示す展開形成体の状態から、図８に示すように、折目線を谷折りすることで、四つの側壁の一部を構成する前側板３２と、後側板３３と、左右側板３４・３４が天板３１に対して下方に立設される。このとき、前折込板７１・７１は、前折畳線７１ａ・７１ａで二つ折りにされながら、前側板３２と左右側板３４との折目線を谷折りすることで、前側板３２の内側に折畳まれる。また、後折込板７２・７２も、後折畳線７２ａ・７２ａで二つ折りにされながら、後側板３３と左右側板３４との折目線を谷折りすることで、後側板３３の内側に折畳まれる。
【００６５】
次に、左右側板３４から延設された同一平面上の縁板３６・３６が、折目線を谷折りすることで、左右側板３４に対して略直角に内側へと折り曲げられる。そして、左右内側板３９・３９は、左右側板３４・３４の内側となるように、天板３１に折り立てられる。そのとき、折目線７５を山折りすることで、左右係止板７６・７６は左右内側板３９に対して略直角に折り曲げられるとともに、天板３１の内面に重ね合わされる。但し、係止切込部７５ａ・７５ａ及び係止切込部７５ｂは、折目線７５を分断するように左右係止板７６から延設されているため、左右内側板３９には、前後に二つの開孔及びその前後中央に係合孔７５ｃが形成されるとともに、係止切込部７５ａ・７５ａ及び係止切込部７５ｂは、左右係止板７６から延設された同一平面上に位置する。
【００６６】
さらに、左右内側板３９の前の折目線を山折りすることで、前袖フラップ７７・７７は、左右内側板３９に対して略直角に内側へと折り曲げられる。そして、左右の前袖フラップ７７・７７は、それぞれの自由端部に形成された前係止切込７７ａ・７７ｂを互いに差し込むことで連結される。また、左右内側板３９の後の折目線７８を山折りすることで、後袖フラップ７９は、左右内側板３９に対して略直角に内側へと折り曲げられる。そして、左右の後袖フラップ７９・７９は、それぞれの自由端部に形成された後係止切込７９ａ・７９ｂを互いに差し込むことで連結される。
ここで、折目線７８の上方には、係合孔７８ａが形成される。
【００６７】
図９に示す状態から図１０の上部に示すように、前側板３２から延設された同一平面上の縁板３５が、折目線を谷折りすることで、前側板３２に対して略直角に内側へと折り曲げられる。そのとき、縁板３５の左右両端部は、縁板３６・３６の前端部の下面に重ね合わされる。そして、前内側板３７は、前側板３２の内側となるように、天板３１に折り立てられる。そのとき、折目線８１を山折りすることで、前係止板７３は前内側板３７に対して略直角に折り曲げられるとともに、天板３１の下面に重ね合わされる。さらに、前係止板７３の左右両端部は、左右係止板７６・７６の前端部が上方より重ね合わせられることで、前側の側面全体が安定したかたちで天板３１に対して起立することができる。但し、係止切込部８１ａは、折目線８１を分断するように前係止板７３から延設されているため、前内側板３７には、係合孔８１ｂが形成されとともに、係止切込部８１ａは、前係止板７３から延設された同一平面上に位置する。
【００６８】
他方、後側板３３から延設された同一平面上の縁板３５が、折目線を谷折りすることで、後側板３３に対して略直角に内側へと折り曲げられる。そのとき、縁板３５の左右両端部は、縁板３６・３６の後端部の下面に重ね合わされる。そして、後内側板３８は、後側板３３さらに後袖フラップ７９・７９の内側となるように、天板３１に折り立てられる。そのとき、折目線を山折りすることで、後係止板７４は後内側板３８に対して略直角に折り曲げられるとともに、天板３１の下面に重ね合わされる。さらに、後係止板７４の左右両端部には、左右係止板７６・７６の後端部が下方より重ね合わせられる。したがって、後側板３３及び後内側板３８は、安定したかたちで天板３１に対して起立することができる。また、係止切込部８２ａは、折目線８２を分断するように後係止板７４から延設されているため、後内側板３８には、係合孔８２ｂが形成されとともに、係止切込部８２ａは、後係止板７４から延設された同一平面上に位置する。
【００６９】
後内側板３８が天板３１に起立することで、係合孔７８ａは、左右内側板３９・３９と後内側板３８の間に形成される。つまり、左右内側板３９・３９と後内側板３８の境界周辺に、係合孔７８ａは、形成される。
【００７０】
このような工程を経て、蓋体３は、組み立てられる。
【００７１】
次に、図４、図１１、及び図１２に従って、中枠体５を組み立てる工程について説明する。
【００７２】
中枠体５は、図４に示す展開形成体の状態から、図１１に示すように、折目線で谷折りすることで、四つの側壁の一部を構成する前内側板５２と、後内側板５３と、左右内側板５４・５４が底板５１に対して立設される。但し、係止切込部９１ａ・９１ａは、折目線９１を分断するように底板５１から延設されているため、左右内側板５４には、二つの開孔が形成されとともに、係止切込部９１ａは、底板５１から延設された同一平面上に位置する。そして、係止切込部９１ａ・９１ａは、左右内側板５４よりも外側に突出している。
【００７３】
次に、左右内側板５４から延設された同一平面上の左右外側板５７が、折目線で折り曲げることで、左右内側板５４の外側の面に接触するように折り畳まれる。さらに、左右外側板５７・５７の前方にある左右一対の前袖フラップ５８・５８は、折目線で折り曲げることで、左右外側板５７に対して略直角に、前内側板５２の外側に面で接触するように、折り曲げられる。また、左右外側板５７の後方にある後袖フラップ５９・５９は、折目線で折り曲げることで、左右外側板５７に対して略直角に、後内側板５３の外側に面で接触するように、折り曲げられる。
【００７４】
さらに、図１１に示す状態から図１２に示すように、前内側板５２から延設された同一平面上の前外側板５５が、折目線を山折りすることで、前内側板５２の外側に重なるように折り畳まれる。このとき、前袖フラップ５８・５８は、前内側板５２と前外側板５５とで挟持される。また、後内側板５３から延設された同一平面上の後外側板５６が、折目線を山折りすることで、後内側板５３の外側に重なるように折り畳まれる。このとき、後袖フラップ５９・５９は、後内側板５３と後外側板５６とで挟持される。
【００７５】
このような工程を経て、中枠体５は、組み立てられる。
【００７６】
次に、図に従って、各パーツである身箱２、蓋体３、蝶番体４、及び中枠体５を適切な位置で連結させて包装用箱１を組み立てる工程について説明する。
【００７７】
先ず、図１０に示すように、蝶番体４の折目線４６を折り曲げることで、第三板４３は、第二板４２に対して略直角に前側へと折り曲げられる。但し、係合片４６ａは、折目線４６を分断するように第三板４３から延設されているため、第二板４２には、開孔が形成されとともに、係合片４６ａは、第三板４３から延設された同一平面上で第二板４２よりも後方に突設される。
【００７８】
そして、蓋体３と蝶番体４は、図１０に示す互いの一部が連結する前の状態から、図１３に示すように連結される。具体的には、蝶番体４の第三板４３が、蓋体３の天板３１に面で対向するように配置される。そして、蝶番体４の第二係合片４５・４５は、第二係合片４５・４５とともに係止手段の一部を構成する蓋体３の係合孔７８ａ・７８ａに蓋体３の左右外方向へと挿入することで係合される。さらに、蝶番体４の係合片４６ａは、係合片４６ａとともに係止手段の一部を構成する蓋体３の係合孔８２ｂに蓋体３の後方へと挿入することで係合される。したがって、蝶番体４は、蓋体３に対して移動可能に係合される。
【００７９】
さらに、蝶番体４の第三係合片４７・４７が、蓋体３の係合孔７５ｃ・７５ｃに係合され、蝶番体４の第四係合片４８が、蓋体３の係合孔８１ｂに係合されることによって、蝶番体４が蓋体３に安定したかたちで係止される。尚、本実施形態において、第三係合片４７と係合孔７５ｃ及び第四係合片４８と係合孔８１ｂは、蝶番体４を蓋体３に係止するためのものとしているが、係合片４６ａと係合孔８２ｂで構成する係止手段のように、係合片４６ａが係合孔８２ｂに対して移動可能に構成することも可能である。
【００８０】
次に、図１４に示すように、蓋体３が連結された蝶番体４が、身箱２に連結される。具体的には、蝶番体４の第一板４１が、身箱２の内壁である後内側板２８の内側に面で接触するように配置される。そして、第一板４１から延設された同一平面上の第一係合片４４・４４は、第一係合片４４・４４とともに係止手段の一部を構成し、身箱２の後内側板２８と左右内側板２９の間にある係合孔６８ｂ・６８ｂに、身箱２の左右外方向へと挿入することで係合される。
【００８１】
このように、組み立てることで、特別な手段を用いることなく容易に、蝶番体４は、身箱２と蓋体３に対して移動可能に連結される。
【００８２】
さらに、図１５に示すように、蝶番体４が身箱２から脱落せぬように、また、蓋体３を閉じた場合に、身箱２と蓋体３が係合しやすくするため、身箱２の内側に中枠体５が挿入される。
【００８３】
具体的には、図１２に示す組み立てられた中枠体５が、図１４に示す蝶番体４が連結された身箱２へと挿入されることで、包装用箱１は、図１５に示す状態となる。
つまり、中枠体５の底板５１が身箱２の底板２１に面で対向するように配置される。そして、中枠体５の係止切込部９１ａ・９１ａ・９１ａ・９１ａが身箱２の係合孔６５ｂ・６５ｂ・６５ｂ・６５ｂに係合される。そうすることで、係止切込部９１ａが係合孔６５ｂに引っ掛り、身箱２から中枠体５が脱落しない。また、中枠体５の後側の側壁（後外側板５６）は、身箱２の後内側板２８とともに、蝶番体４の第一板４１を挟持している。そのため、蝶番体４は、挟持されている部分の前後方向の移動が規制されて、上下方向の移動をスムーズにすることができる。
【００８４】
このようにして、本実施形態の包装用箱１は、組み立てられ、そして、図１５に示す状態から図１６に示すように、身箱２（中枠体５）の上部の開口が蓋体３によって閉塞される。
【００８５】
さらに詳しく、包装用箱１の開閉に伴う、蝶番体４及びその周辺の態様について説明する。
【００８６】
身箱２の係合孔６８ｂの上下方向の長さは、第一係合片４４の上下方向の長さよりも大きく形成される。つまり、係合孔６８ｂは第一係合片４４の移動を許容する大きさであり、第一係合片４４に対して上下方向の隙間を有している。したがって、第一係合片４４は、第一係合片４４が係合孔６８ｂに挿入される方向に対して略垂直な方向に移動することができる。
【００８７】
蓋体３を閉じた状態において、蓋体３の係合孔７８ａの上下方向の長さは、第二係合片４５の上下方向の長さよりも大きく形成される。つまり、係合孔７８ａは第二係合片４５の移動を許容する大きさであり、第二係合片４５に対して上下方向の隙間を有している。したがって、第二係合片４５は、第二係合片４５が係合孔７８ａに挿入される方向に対して略垂直な方向に移動することができる。ただし、包装用箱１が開いた状態において、蓋体３の係合孔７８ａは、蓋体３とともに移動するため、図１７に示すように、前後方向が長手方向とされる。
【００８８】
また、蓋体３の係合孔８２ｂの上下方向の長さは、係合片４６ａの厚さ方向（上下方向）の長さよりも大きく形成される。つまり、係合孔８２ｂは係合片４６ａの移動を許容する大きさであり、係合片４６ａに対して上下方向の隙間を有している。したがって、係合片４６ａは、係合孔８２ｂに対して係合片４６ａの厚さ方向に移動することができる。ただし、包装用箱１が開いた状態において、蓋体３の係合孔８２ｂは、蓋体３とともに移動するため、図１７に示すように、前後方向が長手方向とされる。
【００８９】
係合孔７８ａ及び係合孔８２ｂの第二係合片４５及び係合片４６ａとの上下方向の隙間は、略同じであり、第二係合片４５及び係合片４６ａの移動可能な長さは、略同じとなるようになっている。つまり、蝶番体４が蓋体に対して移動可能な長さは、第二係合片４５が係合孔７８ａとなす隙間（係合孔８２ｂに対する隙間）となっている。
【００９０】
本実施形態の蝶番体４は、図１４に示すように、蓋体３の縁板３６・３６が身箱２の底板２１に対して略直角となる位置で蓋体３を停止させる「中開き」と称される開き方を可能とするものである。
【００９１】
蓋体３が閉じている場合、第一係合片４４の下端は、係合孔６８ｂの開口下端に接触する位置にある。また、第二係合片４５の上端は、係合孔７８ａの開口上端に接触する位置にある。係合片４６ａの上面は、係合孔８２ｂの開口上端である係止切込部８２ａに接触する位置にある。
【００９２】
ここで、図１４と図１６に示すように蓋体３の縁板３５の下面と身箱２の縁板２５との間には、蓋体３が閉じた状態よりも、蓋体３が開いた状態の方が大きな空間が形成される。
【００９３】
蓋体３が開いた場合、図１７に示すように、蝶番体４が身箱２及び蓋体３に対して移動するため、第一係合片４４の上端が、係合孔６８ｂの開口上端に接触する位置に移動する。また、第二係合片４５の前端（蓋体３が閉じた場合、下端）は、係合孔７８ａの開口前端（蓋体３が閉じた場合、下端）に接触する位置にある。係合片４６ａの前面（蓋体３が閉じた場合、下面）は、係合孔８２ｂの開口前端（蓋体３が閉じた場合、下端）に接触する位置にある。
【００９４】
つまり、各係止手段における矢印に示す長さ、つまり、第一係合片４４が係合孔６８ｂに対して移動した長さ、及び、第二係合片４５が係合孔７８ａに対して移動した長さを合わせた長さは、身箱２及び蓋体３に対して移動できる蝶番体４（第一板４１及び第二板４２）の長さである。この移動できる長さがあることで、過剰な負荷が蝶番体４にかかる状態であっても負荷をうまく逃がすことができる。さらに、この長さ、つまり、第一係合片４４と係合孔６８ｂとがなす移動可能な方向の隙間、及び、第二係合片４５と係合孔７８ａ（係合片４６ａと係合孔８２ｂ）とがなす移動可能な方向の隙間を調節することで、「中開き」の角度、言い換えれば、身箱２と蓋体３のなす角度が調節可能となる。
【００９５】
尚、本実施形態の蓋体３には、蓋体の天板３１内側を覆う第三板４３が設けられているが、第三板４３を設けずに第一板４１及び第二板４２に係合片が設けられていればよい。また、蝶番体４は、身箱２及び蓋体３の両方に係止手段によって移動可能に係止されているが、どちらか一方を移動不能に係止してもよい。
【００９６】
以上の如く、本考案の包装用箱１は、
上部に開口部を有する身箱２と、
当該身箱２の前記開口部を閉塞する蓋体３と、
前記身箱２と前記蓋体３の一部を連結する蝶番体４と、を備える包装用箱であって、
前記蝶番体４は、前記身箱２及び前記蓋体３に対して移動可能に連結されるものである。
【００９７】
上記のように構成することで、蓋体３を身箱２の開口部を閉塞した状態から、蓋体３を開いた状態とした際、蝶番体４が身箱２及び蓋体３に対して移動可能に連結しているので、蝶番体４に過度の負荷がかかる状態であっても負荷をうまく逃がすことができるため、蝶番体４の破損を防止することができる。また、蝶番体４が身箱２及び蓋体３に固着されていないため、組み立てが容易におこなうことができる。
【００９８】
本考案の包装用箱１は、
前記身箱２及び／又は前記蓋体３の内壁に前記蝶番体４を係止する係止手段により連結されるものである。
【００９９】
上記のように構成することで、身箱２及び／又は蓋体３の内壁に蝶番体４を係止する係止手段を有することから、外観の体裁がよく、蝶番体４がその係止されている側から外れにくくなる。
【０１００】
本考案の係止手段は、
前記蝶番体４の一部が突出した係合片４４・４５・４６ａと、
前記身箱２の内壁及び／又は蓋体３の内壁に形成された係合孔６８ｂ・７８ａ・８２ｂと、を備え、
前記係合片４４・４５・４６ａが前記係合孔６８ｂ・７８ａ・８２ｂに係合した状態で、前記係合孔６８ｂ・７８ａ・８２ｂは係合片４４・４５・４６ａの移動を許容する大きさである。
【０１０１】
上記のように構成することで、係合孔６８ｂ・７８ａ・８２ｂは、係合片４４・４５・４６ａの移動を許容する大きさであるため、予定された蝶番体４の移動可能な範囲以上の移動を防止することができる。したがって、蓋体３を身箱２の開口部を閉塞した状態から身箱２の開口部を開放した状態とした際に、身箱２に対する蓋体３の位置を設定することが容易となり、包装用箱１の蓋体３を開いた際の体裁がよくなる。
【０１０２】
本考案の包装用箱１は、
前記身箱２の内壁に接する中枠体５を備えるものである。
【０１０３】
上記のように構成することで、身箱２の内壁に接する中枠体５を備えることで、身箱２の開口部を開放した状態へと蓋体３を移動させた際の包装用箱１の内部の体裁がよくなる。さらに、蝶番体４を身箱２と中枠体５とで挟持することとなり、蝶番体４の移動を無理なく制限することができる。
【０１０４】
本考案の包装用箱１において、
前記身箱２は、底板２１と当該底板２１に起立する複数の身箱側壁（２７・２２・２３・２８・２４・２９）を備え、
前記蓋体３は、天板３１と当該天板３１に起立する複数の蓋体側壁（３２・３７・３３・３８・３４・３９）を備え、
前記係合孔６８ｂ・７８ａは、隣接する前記身箱側壁（左右内側板２９と後内側板２８）の境界周辺、及び／又は隣接する前記蓋体側壁（左右内側板３９と後内側板３８）の境界周辺に形成されるものである。
【０１０５】
上記のように構成することで、係合孔６８ｂ・７８ａが、隣接する身箱側壁（左右内側板２９と後内側板２８）の境界周辺、及び／又は、隣接する蓋体側壁（左右内側板３９と後内側板３８）の境界周辺に形成されるので、蓋体３を開いた際に、係合孔６８ｂ・７８ａ、及び係合孔６８ｂ・７８ａに挿入される係合片４４・４５が目立たない位置となり包装用箱１の体裁がよい。
【０１０６】
本考案の包装用箱１は、
前記係合孔８２ｂが、前記天板３１と前記蓋体側壁（後内側板３８）の境界周辺に形成されるものである。
【０１０７】
上記のように構成することで、係合孔８２ｂは、天板３１と蓋体側壁（後内側板３８）の境界周辺に形成されるため、蓋体３を開いた際に、係合孔８２ｂと係合孔８２ｂに挿入される係合片４６ａが目立たない位置となり、包装用箱の体裁がよい。
【符号の説明】
【０１０８】
１      包装用箱
２      身箱
３      蓋体
４      蝶番体
５      中枠体
２１    底板
２２    前側板
２３    後側板
２４    左右側板
２５    縁板
２６    縁板
２７    前内側板
２８    後内側板
２９    左右内側板
３１    天板
３２    前側板
３３    後側板
３４    左右側板
３５    縁板
３６    縁板
３７    前内側板
３８    後内側板
３９    左右内側板
４１    第一板
４２    第二板
４３    第三板
４４    第一係合片
４５    第二係合片
４６    折目線
４６ａ  係合片
４７    第三係合片
４８    第四係合片
５１    底板
５２    前内側板
５３    後内側板
５４    左右内側板
５５    前外側板
５６    後外側板
５７    左右外側板
５８    前袖フラップ
５９    後袖フラップ
６１    前折込板
６１ａ  前折畳線
６２    後折込板
６２ａ  後折畳線
６３    前係止板
６４    後係止板
６５    折目線
６５ａ  係止切込部
６５ｂ  係合孔
６６    左右係止板
６７    前袖フラップ
６７ａ  前係止切込
６７ｂ  前係止切込
６８    折目線
６８ａ  係止切込部
６８ｂ  係合孔
６８ｂ  係合孔
６９    後袖フラップ
６９ａ  後係止切込
６９ｂ  後係止切込
７１    前折込板
７１ａ  前折畳線
７２    後折込板
７２ａ  後折畳線
７３    前係止板
７４    後係止板
７５    折目線
７５ａ  係止切込部
７５ｂ  係止切込部
７５ｃ  係合孔
７６    左右係止板
７７    前袖フラップ
７７ａ  前係止切込
７７ｂ  前係止切込
７８    折目線
７８ａ  係合孔
７９    後袖フラップ
７９ａ  後係止切込
７９ｂ  後係止切込
８１    折目線
８１ａ  係止切込部
８１ｂ  係合孔
８２    折目線
８２ａ  係止切込部
８２ｂ  係合孔
９１    折目線
９１ａ  係止切込部
【図１】
0003171823.tif 000003
【図２】
0003171823.tif 000004
【図３】
0003171823.tif 000005
【図４】
0003171823.tif 000006
【図５】
0003171823.tif 000007
【図６】
0003171823.tif 000008
【図７】
0003171823.tif 000009
【図８】
0003171823.tif 000010
【図９】
0003171823.tif 000011
【図１０】
0003171823.tif 000012
【図１１】
0003171823.tif 000013
【図１２】
0003171823.tif 000014
【図１３】
0003171823.tif 000015
【図１４】
0003171823.tif 000016
【図１５】
0003171823.tif 000017
【図１６】
0003171823.tif 000018
【図１７】
0003171823.tif 000019